(57)【要約】【課題】  予め決められたテキストを予め決められたフォントで未定オブジェクトとともに再生でき、かつ、予め決められたテキストを編集可能なテンプレートデータの構造を提供する。【解決手段】  未定オブジェクトの再生枠を規定する枠情報が記録される枠領域と、前記未定オブジェクトとともに再生するためのテキストが記録されるテキスト領域と、前記テキスト領域に記録されたテキストの再生枠を規定する枠情報が記録される枠領域と、前記テキスト領域に記録されたテキストのフォントを規定するフォント情報が記録されるフォント領域と、前記フォント情報に基づいて画像再生システムで前記テキスト領域に記録されたテキストを再生不能のとき前記テキスト領域に記録されたテキストに代えて前記枠領域に記録された再生枠に再生可能であって前記テキスト領域に記録されたテキストを前記フォント情報が規定するフォントで再生した画像を表すテキスト画像が記録されるテキスト画像領域と、を含むことを特徴とするテンプレートデータ構造【選択図】    図１
2005028876.tif 000002
【特許請求の範囲】
【請求項１】
未定オブジェクトの再生枠を規定する枠情報が記録される枠領域と、
前記未定オブジェクトとともに再生するためのテキストが記録されるテキスト領域と、
前記テキスト領域に記録されたテキストの再生枠を規定する枠情報が記録される枠領域と、
前記テキスト領域に記録されたテキストのフォントを規定するフォント情報が記録されるフォント領域と、
前記フォント情報に基づいて画像再生システムで前記テキスト領域に記録されたテキストを再生不能のとき前記テキスト領域に記録されたテキストに代えて前記枠領域に記録された再生枠に再生可能であって前記テキスト領域に記録されたテキストを前記フォント情報が規定するフォントで再生した画像を表すテキスト画像が記録されるテキスト画像領域と、
を含むことを特徴とするテンプレートデータ構造。
【請求項２】
未定オブジェクトの再生枠を規定する枠情報と、前記未定オブジェクトとともに再生するためのテキストと、前記テキストの再生枠を規定する枠情報と、前記テキストのフォントを規定するフォント情報と、前記テキストを前記フォント情報が規定するフォントで再生した画像を表すテキスト画像とを含むテンプレートデータを入力する手段と、
フォントが記録されたフォントメモリと、
入力された前記テンプレートデータの未定オブジェクトの再生枠に再生されるオブジェクトを入力する手段と、
入力された前記テンプレートデータのテキストを、入力された前記オブジェクトとともに再生する手段であって、入力された前記テンプレートデータのフォント情報に対応するフォントが前記フォントメモリに記録されている場合、前記フォントメモリに記録されているフォントで入力された前記テンプレートデータのテキストを入力されたテンプレートデータのテキストの再生枠に再生し、入力された前記テンプレートデータのフォント情報に対応するフォントが前記フォントメモリに格納されていない場合、入力された前記テンプレートデータのテキストに代えて入力された前記テンプレートデータのテキスト画像を入力された前記テンプレートデータのテキストの再生枠に再生する手段と、
を備えることを特徴とする画像再生システム。
【請求項３】
未定オブジェクトの再生枠を規定する枠情報と、前記未定オブジェクトとともに再生するためのテキストと、前記テキストの再生枠を規定する枠情報と、前記テキストのフォントを規定するフォント情報と、前記テキストを前記フォントで再生した画像を表すテキスト画像とを含むテンプレートデータを入力する手段と、
フォントが記録されたフォントメモリと、
入力された前記テンプレートデータの未定オブジェクトの再生枠に再生されるオブジェクトを入力する手段と、
入力された前記テンプレートデータのテキストを、入力された前記オブジェクトとともに再生する手段であって、入力された前記テンプレートデータのテキストに対応するフォントが前記フォントメモリに記録されている場合、前記フォントメモリに記録されているフォントで入力された前記テンプレートデータのテキストを入力された前記テンプレートデータのテキストの再生枠に再生し、入力された前記テンプレートデータのテキストに対応するフォントが前記フォントメモリに格納されていない場合、当該テキストに代えて当該テンプレートデータのテキスト画像を当該テキストの再生枠に再生する手段と、
を備えることを特徴とする画像再生システム。
【発明の詳細な説明】
【技術分野】
【０００１】
本発明は、ディジタル写真画像等の未定オブジェクトの再生フォーマットを規定するテンプレートデータの構造及びそれを用いた画像再生システムに関する。
【背景技術】
【０００２】
従来、ディジタル写真画像等のオブジェクトを、予め決められた再生フォーマットに基づいて印刷、表示等する画像再生システムが知られている。このような画像再生システムでは、入力される任意のオブジェクト（未定オブジェクト）を印刷用紙、画面等の描画領域のどこに配置するかを規定する画像枠等が記録されたテンプレートデータに基づいて予め決められた再生フォーマットでオブジェクトを再生している。このようなテンプレートデータには、画像枠の他、未定オブジェクトともに再生するためのテキストとその配置を規定するテキスト枠とそのフォントを規定するフォント情報とを記録することができるものがある。テンプレートデータに記録されたテキストは画像再生システムのメモリに予め記録されたアウトラインフォント又はビットマップフォントに基づいてディジタル写真画像等とともに再生される。テキストは、画像に比べてデータが小さく、フォントの拡大縮小も高速であり、編集も容易であるため、テンプレートデータでは、文字列を表す画像を記録するよりもテキストとそのフォント情報を記録した方が、データを低減でき、また、拡大縮小、文字列の編集等への対応も容易になる。
【０００３】
このようなテンプレートデータを用いると、様々な再生フォーマットでディジタル写真画像等を容易に再生できるため、画像処理に不慣れなユーザであっても自分で記録したディジタル写真画像等を割り付けた年賀状、メッセージカード等を容易に作成することができる。このようなテンプレートデータは、例えば遠隔地に設置されたサーバからダウンロードすることにより、画像再生システムに入力することができる。
【０００４】
しかし、画像再生システムのメモリにフォントが全く記録されていない場合や、入力したテンプレートデータに記録されたフォント情報に対応するフォントが画像再生システムのメモリに記録されていない場合は、テンプレートデータで規定された再生フォーマットで写真画像等を再生することができないという問題がある。
【０００５】
【特許文献１】特開平２００２−２５４７５８号公報
【発明の開示】
【発明が解決しようとする課題】
【０００６】
本発明は、かかる問題に鑑みて創作されたものであって、予め決められたテキストを予め決められたフォントで未定オブジェクトとともに再生でき、かつ、予め決められたテキストを編集可能なテンプレートデータの構造を提供することを第一の目的とする。
また本発明は、テンプレートデータに記録されたフォント情報に基づいてテキストを再生不能の場合にでもテンプレートのテキストを未定オブジェクトとともに再生可能な画像再生システムを提供することを第二の目的とする。
【課題を解決するための手段】
【０００７】
上記目的を達成するため、本発明に係るテンプレートデータ構造は、未定オブジェクトの再生枠を規定する枠情報が記録される枠領域と、前記未定オブジェクトとともに再生するためのテキストが記録されるテキスト領域と、前記テキスト領域に記録されたテキストの再生枠を規定する枠情報が記録される枠領域と、前記テキスト領域に記録されたテキストのフォントを規定するフォント情報が記録されるフォント領域と、前記フォント領域に記録されたフォント情報に基づいて画像再生システムで前記テキスト領域に記録されたテキストを再生不能のとき前記テキスト領域に記録されたテキストに代えて前記枠領域に記録された再生枠に再生可能であって前記テキスト領域に記録されたテキストを前記フォント情報が規定するフォントで再生した画像を表すテキスト画像が記録されるテキスト画像領域と、を含むことを特徴とする。テンプレートによって規定されるフォントでテキストを再生した画像を表すテキスト画像をそのテキストとともにテンプレートデータに記録することにより、画像再生システムでは、テンプレートデータに記録されたフォント情報に基づいてテキストを再生不能のときにも、テキスト画像を利用することにより、予め決めたフォントでテキストを再生することができる。また、テキスト画像だけでなく、テキストもテンプレートデータに記録することにより、画像再生システムでのテキストの編集を容易にすることができる。
【０００８】
上記目的を達成するため、本発明に係る画像再生システムは、未定オブジェクトの再生枠を規定する枠情報と、前記未定オブジェクトとともに再生するためのテキストと、前記テキストの再生枠を規定する枠情報と、前記テキストのフォントを規定するフォント情報と、前記テキストを前記フォント情報が規定するフォントで再生した画像を表すテキスト画像とを含むテンプレートデータを入力する手段と、フォントが記録されたフォントメモリと、入力された前記テンプレートデータの未定オブジェクトの再生枠に再生されるオブジェクトを入力する手段と、入力された前記テンプレートデータのテキストを、入力された前記オブジェクトとともに再生する手段であって、入力された前記テンプレートデータのフォント情報に対応するフォントが前記フォントメモリに記録されている場合、前記フォントメモリに記録されているフォントで入力された前記テンプレートデータのテキストを入力されたテンプレートデータのテキストの再生枠に再生し、入力された前記テンプレートデータのフォント情報に対応するフォントが前記フォントメモリに格納されていない場合、入力された前記テンプレートデータのテキストに代えて入力された前記テンプレートデータのテキスト画像を入力された前記テンプレートデータのテキストの再生枠に再生する手段と、を備えることを特徴とする。画像再生システムは、テンプレートデータに記録されたフォント情報に対応したフォントの有無に応じて、テンプレートデータによって規定されるフォントでテキストを再生した画像を表すテキスト画像をそのテキストとともに入力し、テキスト又はテキスト画像のいずれか一方を再生することにより、テキストを再生不能のときにも、テキスト画像を利用して予め決めたフォントでテキストを再生することができる。
【０００９】
上記目的を達成するため、本発明に係る画像再生システムは、未定オブジェクトの再生枠を規定する枠情報と、前記未定オブジェクトとともに再生するためのテキストと、前記テキストの再生枠を規定する枠情報と、前記テキストのフォントを規定するフォント情報と、前記テキストを前記フォントで再生した画像を表すテキスト画像とを含むテンプレートデータを入力する手段と、フォントが記録されたフォントメモリと、入力された前記テンプレートデータの未定オブジェクトの再生枠に再生されるオブジェクトを入力する手段と、入力された前記テンプレートデータのテキストを、入力された前記オブジェクトとともに再生する手段であって、入力された前記テンプレートデータのテキストに対応するフォントが前記フォントメモリに記録されている場合、前記フォントメモリに記録されているフォントで入力された前記テンプレートデータのテキストを入力された前記テンプレートデータのテキストの再生枠に再生し、入力された前記テンプレートデータのテキストに対応するフォントが前記フォントメモリに格納されていない場合、当該テキストに代えて当該テンプレートデータのテキスト画像を当該テキストの再生枠に再生する手段と、を備えることを特徴とする。画像再生システムは、テンプレートデータによって規定されるフォント又は画像再生システムに記録されているフォントのいずれかでテキストを再生することにより、テンプレートデータによって規定されているフォントが画像再生システムに記録されていない場合にでも、テンプレートデータのテキストを再生することができる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１１】
以下、複数の実施例に基づいて本発明の実施の形態を説明する。
（第一実施例）
図２は、本発明の第一実施例に係る画像再生システムとしてのプリンタ１を示すブロック図である。プリンタ１は所謂スタンドアロン型のプリンタである。
ディスプレイ１１はＬＣＤなどで構成される。ディスプレイ制御部１２はＶＲＡＭ、駆動回路等を備える。
操作部１３には、複数のスイッチが設けられている。操作部１３は、再生媒体としての印刷用紙の規格サイズやテンプレートの選択、印刷の開始・中止等の操作を受け付ける。
【００１２】
テンプレートデータの入力手段としての入力部１４は、制御部１５によって制御され、リムーバブルメモリ１９に格納されたテンプレートデータを読み出し、ワークメモリ１６に格納する。また、入力部１４は、未定オブジェクトとしての写真画像データの入力手段としても機能し、リムーバブルメモリ１９に格納された写真画像データを、ワークメモリ１６に格納する。リムーバブルメモリ１９は入力部１４に脱着自在の記録媒体であって、具体的にはたとえばディジタルカメラに脱着自在のカード型ＩＣメモリである。写真画像データの入力手段として、イメージスキャナ、またはネットワークインタフェース等を用いてもよい。
【００１３】
再生手段としての制御部１５は、図示しないＣＰＵ及びＲＯＭ８を備える。ＣＰＵはＲＯＭ８に記憶された画像再生プログラムを実行してプリンタ１全体を制御する。制御部１５では、ワークメモリ１６に格納されている写真画像データとテンプレートデータに基づいて、印刷対象画像データを生成し、ワークメモリ１６に格納する。これらのプログラムや基準テンプレート等の各種のデータは、所定のサーバからネットワークを介してダウンロードして入力してもよいし、リムーバブルメモリ等のコンピュータ読み取り可能な記憶媒体から読み出して入力してもよい。
【００１４】
図３は、ＲＯＭ８に記録されるフォントメモリ４０を示す模式図である。フォントメモリ４０には、フォントのフォントデータファイル４１、４２、４３、４４がフォントごとに記録されている。各フォントデータファイルには、当該フォントデータファイルが対応するフォント情報としてのフォント名を特定するための識別子（例えば、「ゴシック」「明朝」など）が付されている。ここで、フォントデータファイルとは、文字種ごとに、文字及び記号のフォントデータが記録されたものである。フォントデータとは、文字種ごとに異なる文字及び記号の形状を、画像再生システムにおいて認識できる形式に表現したもので、文字の形を小さな点の集まりとして表現するビットマップフォントや、文字の形をその輪郭線を規定する制御点で表現するアウトラインフォントがある。具体的に例えば、ビットマップフォントの場合、フォント「ゴシック」のフォントデータファイル４１に、サイズが８ポイント及び１０ポイントのフォントデータ４５、４５、４７、４８等が記録されている。
【００１５】
画像処理部１７は、ワークメモリ１６に格納された印刷対象画像データを印刷データに変換するための処理を制御部１５と協働して実行するＡＳＩＣである。印刷データに変換するための処理を制御部１５、画像処理部１７のいずれで行うかは、設計事項である。具体的に例えば画像処理部１７では、ワークメモリ１６に格納された印刷対象画像データに対して、色空間の変換処理、解像度変換処理、ハーフトーン処理、インターレース処理などを実行する。
プリンタエンジン１８は、制御部１５によって制御され、画像処理部１７で生成された印刷データに基づいて印刷用紙に画像を印刷する。プリンタエンジン１８は、例えばインクジェット方式、レーザ方式、昇華型熱転写方式、ドットインパクト方式などで印刷用紙に画像を形成する。
【００１６】
図４（Ａ）は、プリンタ１の外観を示す斜視図であり、図４（Ｂ）は、プリンタ１のディスプレイ１１及び操作部１３を拡大して示す図である。操作部１３には上スイッチ２２、下スイッチ２４、決定スイッチ２５、戻るスイッチ２３、プリントスイッチ２６、中止スイッチ２７などの複数のスイッチが設けられている。ディスプレイ１１には種々の設定をするためのメニューが表示される。上スイッチ２２、下スイッチ２４、決定スイッチ２５及び戻るスイッチ３は、メニューの項目を選択するためのスイッチである。プリントスイッチ２６は印刷の開始を指示するためのスイッチである。中止スイッチ７は印刷の中止を指示するためのスイッチである。
【００１７】
図１は、本発明の実施例に係るテンプレートデータを示す模式図である。このテンプレートデータ３０には、このテンプレートデータに基づいて印刷される用紙のサイズ（例えば、「はがき」）、印刷するテキスト（例えば、「あけましておめでとう」）、テキストの印刷領域の用紙上での位置をその矩形領域の左上点と右下点の座標で示すテキスト枠座標（例えば、「（Ｘ11，Ｙ11）（Ｘ12，Ｙ12）」）、テキストのフォントを規定するフォント情報としてのフォント名（例えば、「"ポップ"」）、テキストのサイズ（例えば、「２０ポイント」）、これらのテキストと共に印刷する写真画像の印刷領域の用紙上での位置をその矩形領域の左上点と右下点の座標で示す写真画像枠座標（例えば、「（Ｘ21，Ｙ21）（Ｘ22，Ｙ22）」）、当該テキストを当該フォントで再生したテキスト画像が記録されている。テキスト画像のデータ形式は例えばＪＰＥＧ形式等で圧縮したものが望ましい。ここで、テキスト枠座標は、矩形領域の左上及び右下の２点を指定しているが、矩形領域の大きさはテキストのサイズ及びその文字数により一意的に決まるので、例えば左上の座標一点で指定してもよい。
【００１８】
図５（Ａ）は、印刷対象画像データの生成を説明するための模式図である。印刷対象画像データは、テンプレートデータ３０と、リムーバブルメモリ１９から入力された写真画像データに基づいて生成される。すなわち、テンプレートデータ３０の写真画像枠座標で規定される写真画像枠３１に対して、写真画像３２を割り付け、テキスト枠座標で規定されるテキスト枠３３に対して、テンプレートデータ３０で規定されたフォントのテキスト又はテキスト画像３４を割り付けて、印刷対象画像データを生成する。図６（Ｂ）は、印刷対象画像データに基づいてはがきサイズの用紙３５に対し印刷された結果を示す模式図である。
【００１９】
図６は、画像再生プログラムの処理を示すデータフロー図である。制御部１５及び画像処理部１７で実行される処理５４では、リムーバブルメモリ１９から読み込んだ写真画像データ、リムーバブルメモリ１９又はＲＯＭ８から読み込んだテンプレートデータ、及びＲＯＭ８から読み込んだフォントデータファイルに基づいて、印刷対象画像データを生成し、印刷対象画像データに基づいて、印刷データを生成する。この処理の詳細は後述する。プリンタエンジン１８で実行される処理５５では、印刷データに基づき印刷を行う。ここで、写真画像データはリムーバブルメモリ１９から読み込むばかりではなく、イメージスキャナで読み込んでもよいし、ネットワークを介してダウンロードしてもよい。また、テンプレートデータやフォントデータは、リムーバブルメモリ１９あるいはＲＯＭ８から読み込むばかりでなく、ネットワークを介して、ダウンロードしてもよい。
【００２０】
図７は、印刷対象となる写真画像データ、及び、印刷するレイアウトを選択するためのモードにおいて、ディスプレイ１１に表示される画面の遷移図である。メニュー画面６１において、上スイッチ２２、下スイッチ２４、決定スイッチ２５の操作により、写真画像データを選択するための項目「画像選択」が選択されると、画像再生プログラムは、リムーバブルメモリ１９から読み込んだ写真画像データの名称をディスプレイに表示する（画面６２）。画面６２において、上スイッチ２２、下スイッチ２４の押下により印刷対象となる写真画像データが選択され、決定スイッチ２５の押下により、印刷対象となる写真画像データが確定される。画面６２において、印刷対象の写真画像データが確定されると、ディスプレイ１１にはメニュー画面６１が表示される。メニュー画面６１において、上スイッチ２２、下スイッチ２４、決定スイッチ２５の操作により「レイアウト」が選択されると、画像再生プログラムは、リムーバブルメモリ１９から読み込んだテンプレートデータの名称をディスプレイに表示する（画面６３）。リムーバブルメモリ１９から読み込んだテンプレートデータの名称を表示する画面６３において、上スイッチ２２、下スイッチ２４の押下により、印刷するレイアウトに対応するテンプレートデータが選択され、決定スイッチ２５の押下により、印刷対象となるテンプレートデータが確定される。なお、第一実施例においては、テンプレートデータは用紙サイズごとに記録されているものとし、印刷するレイアウト選択において、用紙サイズのみの選択は、行えないものとする。  図８は、印刷対象となる写真画像データ、テンプレートデータ、フォントデータに基づいて印刷データを生成する処理５４のフローチャートである。ステップＳ１００において、印刷対象となるテンプレートデータのフォント名に対応するフォントデータファイルをフォントメモリ４０から検索し、テンプレートデータのフォント名に対応するフォントデータファイルがフォントメモリ４０に記録されている場合は、ステップＳ１０１を実行し、記録されていない場合は、ステップＳ１０２を実行する。
【００２１】
テンプレートデータのフォント名に対応するフォントデータファイルがフォントメモリ４０に記録されている場合、ステップＳ１０１において、画面６３で選択された印刷対象となるテンプレートデータに記録されているフォント名のフォントデータファイルから、当該テンプレートデータに記録されているサイズでテキストの各文字に対応するフォントデータを読み出し、当該テキスト枠座標で示されるテキスト枠にフォントデータに基づき再生されたテキストを割り付ける。尚、フォントデータファイルがアウトラインフォントを表す場合、テンプレートデータに記録されているサイズにフォントデータを変換すればよい。
【００２２】
テンプレートデータのフォント名に対応するフォントデータファイルがフォントメモリ４０に記録されていない場合、ステップＳ１０２において、印刷対象となるテンプレートデータに記録されているテキスト画像を、当該テキスト枠座標で示されるテキスト枠に割り付ける。尚、テンプレートデータのフォント名に対応するフォントデータファイルがフォントメモリ４０に記録されていない場合であっても、テンプレートデータに記録されているテキストに対応したフォントデータファイルから当該テキストに対応したフォントデータを読み出して当該テキストを再生してもよい。すなわち、入力されたテンプレートデータのテキストに対応するフォントがフォントメモリ４０に全く格納されていない場合に限って当該テンプレートデータのテキスト画像を再生することとし、それ以外の場合にはテンプレートデータで規定されるフォント又はその代替フォントのいずれかで当該テンプレートデータのテキスト画像を再生してもよい。
【００２３】
次に、ステップＳ１０３において、画面６２で選択された印刷対象となる写真画像データを、当該テンプレートデータに記録されている写真画像枠に割り付け、ステップＳ１０４において、前述の割り付けられたテキスト及び写真画像データに基づいて印刷対象画像データを生成し、ステップＳ１０５において、印刷データを生成する。
【００２４】
以上のように、本発明の第一実施例のテンプレート構造及び画像再生システムによれば、テンプレートデータ内にテキスト画像を記録しているので、画像再生システムのメモリにフォントデータが記録されていないフォントでもテキストを再生することができる。また、本発明の第一実施例のテンプレートデータ構造において、テンプレートデータ内にテキストが記録されているので、例えば、画像再生システムにテンプレートデータのテキストを編集する機能が備えられている場合、容易にテキストを編集し、所望の再生結果を得ることができる。
【００２５】
（第二実施例）
本発明の画像再生システムの第二実施例として、選択されたテンプレートデータのサイズと異なる印刷用紙サイズの選択を可能とし、選択された印刷用紙サイズで印刷可能なプリンタ１について説明する。第一実施例と実質的に同一の部分については同一の符号を用いて説明を省略する。
図９は、用紙サイズ選択画面である。用紙サイズ選択画面は、図7の画面６３においてテンプレートデータの選択が行われた後、ディスプレイ１１に表示される。画面６４において、上スイッチ２２、下スイッチ２４の押下により、印刷用紙サイズが選択され、決定スイッチ２５の押下により、印刷用紙サイズが確定される。
【００２６】
図１０は、選択された印刷用紙サイズが選択されたテンプレートデータのサイズと異なる場合の、印刷データを生成する処理のフローチャートである。この処理では、選択されたテンプレートデータを印刷用紙サイズに拡大／縮小し、拡大／縮小したテンプレートデータに基づいて印刷データを生成する。以下、詳細について説明する。
【００２７】
ステップＳ１１０において、選択されたテンプレートデータのサイズと印刷用紙サイズから、拡大／縮小率を算出する。ステップＳ１１１において、選択されたテンプレートデータのテキスト座標枠、写真座標枠にステップＳ１１０で算出した拡大／縮小率を乗じる。ステップＳ１１２において、ステップＳ１１０で算出した拡大／縮小率に応じたテキストのサイズを算出する。
【００２８】
ステップＳ１００において、選択されたテンプレートデータのフォント名に対応するフォントデータファイルをフォントメモリ４０から検索し、フォント名に対応するフォントデータファイルがフォントメモリ４０に記録されている場合は、ステップＳ１１３を実行し、記録されていない場合は、ステップＳ１１５を実行する。
【００２９】
フォント名に対応するフォントデータファイルがフォントメモリ４０に記録されている場合、ステップＳ１１３において、フォント名に対応するフォントデータファイルに、ステップＳ１１２で算出した拡大／縮小率に応じたテキストのサイズのフォントデータが記録されている場合は、ステップＳ１１４を実行し、記録されていない場合は、ステップＳ１１５を実行する。
【００３０】
フォント名に対応するフォントデータファイルがフォントメモリ４０に記録されおり、かつ、フォント名に対応するフォントデータファイルに、拡大／縮小率に応じたテキストのサイズのフォントデータが記録されている場合は、次のステップＳ１１４を行う。ステップＳ１１４において、フォント名に対応するフォントデータファイルから、ステップＳ１１２で算出した拡大／縮小率に応じたサイズのテキストのフォントデータを読み出し、ステップＳ１１１において拡大／縮小率を乗じたテキスト枠に割り付ける。尚、フォントデータファイルがアウトラインフォントを表す場合、ステップＳ１１２で算出した拡大／縮小率に応じたサイズにフォントデータを変換すればよい。
【００３１】
フォント名に対応するフォントデータファイルがフォントメモリ４０に記録されていないか、あるいは、フォント名に対応するフォントデータファイルに、拡大／縮小率に応じたテキストのサイズのフォントデータが記録されていない場合は次のステップＳ１１５を行う。ステップＳ１１５において、選択されたテンプレートデータに記録されているテキスト画像に対し、ステップＳ１１０で算出した拡大／縮小率で拡大／縮小処理を行い、拡大／縮小したテキスト画像をステップＳ１１１において拡大／縮小率を乗じたテキスト枠に割り付ける。
【００３２】
次に、ステップＳ１１６において、画面６２で選択された印刷対象となる写真画像データに対し、ステップＳ１１０において算出した拡大／縮小率に基づいて拡大／縮小処理を行い、ステップＳ１１１において拡大／縮小率を乗じた写真画像枠に割り付ける。ステップＳ１０４において、割り付けられたテキスト及び写真画像データに基づいて印刷対象画像データを生成し、ステップＳ１０５において、印刷データを生成する。
【００３３】
以上のように、本発明の第２実施例のテンプレートデータ構造及び画像再生システムによれば、テキスト画像とともにテキストを記録しているので、テキスト画像及びテキストに関するテンプレートの編集、具体的には拡大／縮小が容易である。
【図面の簡単な説明】
【００３４】
【図１】本発明の実施例に係る模式図である。
【図２】本発明の実施例に係るブロック図である。
【図３】本発明の実施例に係る模式図である。
【図４】本発明の実施例に係る斜視図である。
【図５】本発明の実施例に係る模式図である。
【図６】本発明の実施例に係るデータフロー図である。
【図７】本発明の実施例に係る画面遷移図である。
【図８】本発明の第１実施例に係るフローチャートである。
【図９】本発明の第２実施例に係る模式図である。
【図１０】本発明の第２実施例に係るフローチャートである。
【符号の説明】
【００３５】
１  プリンタ（画像再生システム）  １４  入力部（入力手段）  １５  制御部（再生手段）  １７  画像処理部（再生手段）  １８プリンタエンジン（再生手段）  ３０  テンプレートデータ  ４０  フォントメモリ  
【図１】
2005028876.tif 000003
【図２】
2005028876.tif 000004
【図３】
2005028876.tif 000005
【図４】
2005028876.tif 000006
【図５】
2005028876.tif 000007
【図６】
2005028876.tif 000008
【図７】
2005028876.tif 000009
【図８】
2005028876.tif 000010
【図９】
2005028876.tif 000011
【図１０】
2005028876.tif 000012